(57)【要約】      （修正有）【課題】３線式コード状ヒータを組み込んだ電気式床暖房フロアの疲労断線等で生じる異常発熱による出火等を確実に防止すること。【解決手段】３線式コード状ヒータとして、通電により発熱する第１と第２の２本のヒータ線２１、２２と検知線２３との３線式ヒータを用いる。第１のヒータ線と検知線は第１の被覆樹脂で被覆されており、第２のヒータ線は第１の被覆樹脂の溶融温度よりも高い溶融温度を持つ第２の被覆樹脂で被覆されている。床暖房用コントローラに、電気式床暖房パネルに組み込んだ３線式コード状ヒータの第１と第２の２本のヒータ線に電力を供給する電力供給回路側を出力側とし、前記検知線側を入力側とするｂ接点を組み込む。異常時に、第１の被覆樹脂が溶融することにより生じる第１のヒータ線と検知線との短絡により検知線に短絡電流が流れると、直ちに、ｂ接点５０は電力供給回路を開放する。【選択図】図６
2009092312.tif 000002
【特許請求の範囲】
【請求項１】
コード状ヒータを組み込んだ電気式床暖房パネルの複数枚を電気的に接続して床下地面に敷き詰め、床暖房用コントローラを介して電気式床暖房パネルに所要の電力を供給するようにした電気式床暖房フロアであって、
前記電気式床暖房パネルに組み込まれるコード状ヒータは、第１と第２の２本のヒータ線と１本の検知線とからなり、前記第１のヒータ線と前記検知線とはそれぞれが第１の被覆樹脂で被覆されており、前記第２のヒータ線は前記第１の被覆樹脂の溶融温度よりも高い溶融温度を持つ第２の被覆樹脂で被覆されている３線式コード状ヒータであり、
前記床暖房用コントローラは、前記第１と第２の２本のヒータ線に電力を供給する電力供給回路側を出力側とし、前記検知線側を入力側とするｂ接点を少なくとも備える、
ことを特徴とする電気式床暖房フロア。
【請求項２】
前記複数枚の電気式床暖房パネルは、各電気式床暖房パネルに組み込まれた３線式コード状ヒータの２本のヒータ線と１本の検知線のそれぞれがコネクタを介して並列接続された１組以上のグループにグループ化されていることを特徴とする請求項１に記載の電気式床暖房フロア。
【請求項３】
請求項１または２に記載の電気式床暖房フロアであって、各電気式床暖房パネルまたは各グループ化された電気式床暖房パネル群は、一方端に電気式床暖房パネル側のコネクタに接続するコネクタをまた他方端に前記床暖房用コントローラに接続する接続端を備えた配線キットを介して、前記床暖房用コントローラと接続していることを特徴とする電気式床暖房フロア。
【発明の詳細な説明】
【技術分野】
【０００１】
本発明は電気式床暖房フロア、特に、コード状ヒータを組み込んだ電気式床暖房パネルの複数枚を電気的に接続して床下地面に敷き詰め、床暖房用コントローラを介して電気式床暖房パネルに所要の電力を供給するようにした電気式床暖房フロアに関する。
【背景技術】
【０００２】
木質基材の裏面に形成した配線溝内にコード状ヒータを組み込んだ電気式床暖房パネルの複数枚を電気的に接続しながら床下地面に敷き詰め、床暖房用コントローラを介して電気式床暖房パネルに所要の電力を供給するようにした電気式床暖房フロアは知られている（特許文献１等参照）。床暖房用コントローラには、加熱エリアの特定、通電の開始と停止、定常運転モードでの温度レベル設定、などの機能が備えられ、電気式床暖房フロアの安全性を確保している。
【０００３】
また、床下地面に敷き詰めた電気式床暖房パネルと床暖房用コントローラとの間を、一方端に電気式床暖房パネル側のコネクタに接続するコネクタをまた他方端に前記床暖房用コントローラに接続する接続部を備えた配線キットで接続するようにした電気式床暖房フロアも知られている（特許文献２参照）。このような配線キッドを用いることにより、従来使用していた貼りじまい用ヒーターパネルが不要となり、施工現場での品番の削減、施工時の作業手間の軽減、等の効果がもたらされる。
【０００４】
【特許文献１】特開２００６−３０８２０２号公報
【特許文献２】特開２００５−１０６３０１号公報
【発明の開示】
【発明が解決しようとする課題】
【０００５】
電気式床暖房フロアの安全運転は、通常の使用状態では充分に保証されている。しかし、一般に構造部材は、その構造上からくる寿命を当然に有しており、例えば電気式床暖房パネルの場合、１０年程度の長期にわたって継続して使用されると、歩行等による荷重が繰り返し加わることで、内部に組み込んだコード状ヒータにひずみによる応力が繰り返しかかり、その影響で疲労断線が起こる可能性がある。断線すると断線箇所でスパークが発生し、燃焼を起こす恐れがある。
【０００６】
本発明は、上記のように製品寿命を超えたときに起こる可能性のある、コード状ヒータの断線に起因する燃焼等の不都合に対して、安全設計を施した電気式床暖房フロアを提供することを課題とする。
【課題を解決するための手段】
【０００７】
上記の課題を解決する本発明による電気式床暖房フロアは、コード状ヒータを組み込んだ電気式床暖房パネルの複数枚を電気的に接続して床下地面に敷き詰め、床暖房用コントローラを介して電気式床暖房パネルに所要の電力を供給するようにした電気式床暖房フロアであって、前記電気式床暖房パネルに組み込まれるコード状ヒータは、第１と第２の２本のヒータ線と１本の検知線とからなり、前記第１のヒータ線と前記検知線とはそれぞれが第１の被覆樹脂で被覆されており、前記第２のヒータ線は前記第１の被覆樹脂の溶融温度よりも高い溶融温度を持つ第２の被覆樹脂で被覆されている３線式コード状ヒータであり、前記床暖房用コントローラは、前記第１と第２の２本のヒータ線に電力を供給する電力供給回路側を出力側とし、前記検知線側を入力側とするｂ接点を少なくとも備えることを特徴とする。
【０００８】
本発明による電気式床暖房フロアにおいて、通常の使用状態では、前記床暖房用コントローラに備えたｂ接点の入力側、すなわち３線式コード状ヒータを構成する検知線に接続する側には電流が流れないので、出力側は閉じており、３線式コード状ヒータを構成する前記第１と第２の２本のヒータ線に電力を供給する電力供給回路には、当該床暖房用コントローラに組み込まれた制御装置（なお、この制御装置は従来知られた暖房用コントローラに組み込まれた従来公知の制御装置であってよい）によって制御された電流が流れ、正常な運転が継続する。
【０００９】
製品寿命を超えた長期の使用等により、電気式床暖房パネルに組み込まれた３線式コード状ヒータに疲労断線等による部分断線等が生じた場合、スパーク等の発生によりその近傍に設定値以上の発熱が生じ、そのまま使用を継続すると発火に至る恐れがある。本発明による電気式床暖房フロアは、発火に至るような危険が生じるのを確実に回避する。
【００１０】
すなわち、本発明で用いる電気式床暖房パネルは、前記した第１と第２の２本のヒータ線と１本の検知線とからなる固有の構成の３線式コード状ヒータを用いており、第１と第２の２本のヒータ線のいずれかの箇所において断線が生じて設定以上の異常発熱が生じた場合、その発熱により、前記第１のヒータ線と検知線とを被覆している第１の被覆樹脂が溶融する。絶縁層として機能していた第１の被覆樹脂が溶融することにより、第１のヒータ線と検知線が短絡状態となる。
【００１１】
この短絡により検知線に流れる短絡電流は、床暖房用コントローラに組み込んだ前記ｂ接点の入力側に流れ込み、ｂ接点の出力側を開く。それにより、電力供給回路は開いた状態となり、床暖房用コントローラから電気式床暖房パネルへの電力の供給は遮断される。ｂ接点の前記出力側は、開状態をそのまま維持するようにされており、それ以降は、３線式コード状ヒータの前記断線箇所においてスパーク等が発生することはなく、燃焼に至るような事態となるのは確実に阻止される。すなわち、本発明による電気式床暖房フロアでは、事故発生時に、確実に安全サイドに導かれる。
【００１２】
本発明による電気式床暖房フロアにおいて、床暖房を行う床面積の広さに応じた複数枚の電気式床暖房パネルが用いられる。複数枚の電気式床暖房パネルは、好ましくは、各電気式床暖房パネルに組み込まれた３線式コード状ヒータの２本のヒータ線と１本の検知線のそれぞれがコネクタを介して並列接続された１組以上のグループにグループ化され、各グループ化した電気式床暖房パネル群が床暖房用コントローラに並列に接続される。
【００１３】
上記のように、本発明による電気式床暖房フロアでは、床暖房用コントローラの電力供給回路に前記したｂ接点を組み込むだけで、電気式床暖房フロアを確実に安全サイドに導くことができる。そのために、低コストで電気式床暖房フロアを構築することができる。また、各電気式床暖房パネルおよび電気式床暖房パネル群は並列接続しているので、いずれの電気式床暖房パネルにおける３線式コード状ヒータにおいて断線による異常発熱が生じても、電気式床暖房フロアは確実に安全サイドに導かれる。
【００１４】
本発明で用いる各電気式床暖房パネルにおいて、３線式コード状ヒータを構成する第１と第２の２本のヒータ線の一方端は電源側に、直接もしくは必要に応じて通常の温度ヒューズを介して接続し、他方端は互いに接続する構成である。そのために、３線式コード状ヒータの一方端は開放端であってよく、従来のコード状ヒータのように閉ループとなる回路を作る必要がないので、電気式床暖房パネルへのヒータ線の組み込み作業が容易となる。ＮＣ等による配線の自動化も可能となる。さらに、ダイオードも不要となるので、有効ヒータゾーンも大きくなり、電気式床暖房パネル自体の構成も簡素化される。また、３線式コード状ヒータ内で、実質的に平行に走る第１と第２の２本のヒータ線を電流が往復で流れるので、磁界が打ち消し合うようになり、電気式床暖房パネルからの電磁波の発生もカットされる。
【００１５】
本発明で用いる電気式床暖房パネルの全体形状は任意であり、矩形状、長尺状の単位ピースを長手方向に位置をずらしながら雁木状に組み付けた雁木形状、などを例示できる。木質基材の裏面に緩衝材層を貼着した形態であってもよく、この形態の電気式床暖房パネルを用いることにより、直貼り式の電気式床暖房フロアを構築することができる。
【００１６】
本発明による電気式床暖房フロアは、上記したように電気式床暖房パネルの複数枚が実質的に並列接続した状態で床下地面に敷き詰められた構成であり、事故発生時には、短絡が生じた電気式床暖房パネルのみを、それ単独で、新しいものと交換することができる。その際に、床暖房用コントローラに組み込んだ前記ｂ接点は出力側が閉じた状態に戻しておく。
【００１７】
本発明による電気式床暖房フロアの一つの態様では、各電気式床暖房パネルまたは各グループ化された電気式床暖房パネル群は、一方端に電気式床暖房パネル側のコネクタに接続するコネクタをまた他方端に前記床暖房用コントローラに接続する接続端を備えた配線キットを介して、前記床暖房用コントローラと接続するようにされる。
【００１８】
この態様では、前記配線キットを用いることにより、従来の電気式床暖房フロアで必要であった、貼りじまい用ヒーターパネルが不要となり、施工現場での品番の削減、施工時の作業手間の軽減、等の効果がもたらされる。
【発明の効果】
【００１９】
本発明によれば、製品寿命を超えたときなどに起こる可能性のある、３線式コード状ヒータの断線に起因する燃焼等の不都合に対して、信頼度の高い安全設計を施した電気式床暖房フロアが提供される。
【発明を実施するための最良の形態】
【００２０】
以下、図面を参照しながら、本発明を実施の形態により説明する。図１（ａ）は電気式床暖房フロアの全体を示す概略図、図１（ｂ）は配線キットを用いる場合での、その取り付け状態を説明するための図、図２（ａ）（ｂ）は電気式床暖房パネルの一例を示す図、図３（ａ）（ｂ）は電気式床暖房パネルに組み込む３線式コード状ヒータを説明する図、図３（ｃ）はそれを電気式床暖房パネルに組み込んだ状態の配線図である。図４は電気式床暖房パネルをグループ化したときの２つの態様を例示する図、図５は用いる場合での配線キットの一例を示す図である。図６は電気式床暖房フロアの発熱回路の一例を示す図、図７はｂ接点の開状態を保持する回路の一例を示す図、図８と図９は発熱回路に断線が発生したときの２つの態様を説明する図である。
【００２１】
最初に、本発明による電気式床暖房フロアＦの全体構成の一例を、その施工手順と共に説明する。この例において、床下地はコンクリートスラブＣであり、後に説明する図２に示す電気式床暖房パネルＡの複数枚が直貼りされる。なお、図２では電気式床暖房パネルＡを雁木形状として示しているが、図１では図示の煩雑さを避けるために単に矩形状に示している。施工に際しては、最初に、壁面に沿ってコード状ヒータを備えない周辺パネルＢを貼り、次に、貼り出し用電気式床暖房パネルＡ１（これは１個のコネクタのみを持つ）を取り付け、以下、必要枚数の電気式床暖房パネルＡを多段に貼り付ける。その両辺には前記した周辺パネルＢを貼り付ける。なお、この例で、電気式床暖房パネルＡの群は２組にグループ化されており、最下段には、電気式床暖房パネルＡａ、Ａｂが各グループへの電力取り入れ部として配置してある。
【００２２】
前記最下段の２つの電気式床暖房パネルＡａ、Ａｂに対して、図５に示すような配線キット１の２つのコネクタ２、２がそれぞれ接続され、配線キット１のケーブル３の他端側の接続端４が床暖房用コントローラＤに接続される。図１（ｂ）に示すように、配線キット１が配線された領域には、配線キット１のコネクタ２やケーブル３を収容する凹溝６を裏面に形成した第２の周辺パネルＢ１が貼り付けられる。
【００２３】
施工後に、各電気式床暖房パネルＡには、外部からの商用電力が床暖房用コントローラＤおよび配線キット１を介して供給される。床暖房用コントローラＤは、前記特許文献１あるいは２に記載のような従来知られた、加熱エリアの特定、通電の開始と停止、定常運転モードでの温度レベル設定、などの機能を持つ制御装置ＣＵに加えて、その電源供給回路には後記するｂ接点（常閉接点）５０が備えられる（図６参照）。なお、配線キット１を用いずに、従来知られた貼りじまい用ヒーターパネル形態の電気式床暖房パネルを用いて施工してもよい。その場合には、貼りじまい用電気式床暖房パネルに取り付けたケーブルを床暖房用コントローラＤに接続する。配線キット１を用いる施工態様では、現場での施工作業が容易となる。
【００２４】
次に、電気式床暖房パネルＡの一例を図２を参照して説明する。この例において、電気式床暖房パネルＡは、図２（ａ）に緩衝材層を除去した状態の背面図に示すように、長尺状の木質基材３１からなる単位ピース３０が長手方向に位置をずらしながら雁木状に組み付けられており、その裏面にはその全面にわたるようにして連続する配線溝３２が形成されている。配線溝３２の中には、図３に示す３線式コード状ヒータ２０が埋め込まれており、３線式コード状ヒータ２０の一方端２０ａは、リード線、通常の温度ヒューズおよび電源線２０ｂを介して３線式コネクタ３４、３５に電気的に接続している。３線式コード状ヒータ２０の他方端２０ｃは、サーモスタット２８（図３（ｃ）参照）が取り付けられる。なお、前記した貼り出し用電気式床暖房パネルＡ１は一方のコネクタ３４を備えない。
【００２５】
図２で、３６は、各単位ピース３０の裏面に配線溝３２に交差するようにして形成される遮音溝である。また、電気式床暖房パネルＡの裏面には緩衝材層３７が貼り付けられており、この例において緩衝材層３７は、図２（ｂ）に示すように、不織布層３８と樹脂発泡体層３９との２層構成とされている。このような緩衝材層３７を備えることにより、直貼り床材として用いることができる。
【００２６】
次に、３線式コード状ヒータ２０を説明する。図３（ａ）（ｂ）に示すように、３線式コード状ヒータ２０は、第１のヒータ線２１と、第２のヒータ線２２と、銅線のような電気抵抗の小さい線からなる検知線２３とからなる３線式ヒータであり、各線は、ヒータ線の異常発熱等で溶融する非導電性材料からなる被覆樹脂２４、２５、２６でそれぞれ被覆されている。図３（ｂ）に示すように３本の線は寄り合わされて一本の線となり、その全体が図３（ａ）に示すように耐熱ＰＶＣのような断熱性のある非導電性材料からなる被覆材２７により覆われている。なお、図示しないが、ポリエステル系合成繊維より糸のような耐熱芯材の周囲に、第１のヒータ線２１、第２のヒータ線２２および検知線２３をそれぞれ巻き付けたものに対して、前記した被覆樹脂２４、２５、２６をそれぞれ被覆したものを用意し、その３本の線を図３（ｂ）に示すように螺旋状に巻き込み、その全体を被覆材２７で被覆して、３線式コート状ヒータ２０とすることもできる。
【００２７】
被覆樹脂２４、２５、２６は、ナイロン系樹脂あるいはポリアミド系樹脂のような熱可塑性樹脂である。ただし、第１のヒータ線２１を被覆する第１の被覆樹脂２４と第２のヒータ線２２を被覆する第２の被覆樹脂２５には、溶融温度の異なる樹脂が用いられており、限定されるものではないが、この例で、第１の被覆樹脂２４の溶融温度はほぼ１７０℃程度、第２の被覆樹脂２５の溶融温度はほぼ２２０℃程度である。すなわち、第２のヒータ線２２は第１の被覆樹脂２４の溶融温度よりも高い溶融温度を持つ第２の被覆樹脂２５で被覆されている。また、検知線２３を覆う被覆樹脂２６には、前記した比較して溶融温度の低い第１の被覆樹脂２４と同じ樹脂が用いられている。
【００２８】
これらの被覆樹脂２４、２５、２６は、電気式床暖房フロアＦの通常の運転時ではそのままで存在しており、絶縁材として機能している。そのために、検知線２３に電流が流れることはない。しかし、第１のヒータ線２１または第２のヒータ線２２に断線あるいは部分断線等が生じてスパーク等が発生し、溶融温度を超える異常加熱状態が部分的に発生したときには、溶融して絶縁機能を喪失する。
【００２９】
図３（ｃ）に示すように、電気式床暖房パネルＡにおいて、第１のヒータ線２１、第２のヒータ線２２、および検知線２３の一方端は、通常の温度ヒューズ２８ａを介して、前記した３線式コネクタ３４、３５に並列的に接続し、第１のヒータ線２１と第２のヒータ線２２の他方端は、サーモスタット２８を介して互いに接続している。なお、温度ヒューズ２８ａとサーモスタット２８は省略することもできる。
【００３０】
上記した形態の電気式床暖房パネルＡの複数枚がコネクタ３４、３５を介して互いに接続することにより、グループ化された電気式床暖房パネル群ＡＧとされる。電気式床暖房パネル群ＡＧでは、各電気式床暖房パネルＡに組み込まれた３線式コード状ヒータ２０の２本のヒータ線と２１、２２と１本の検知線２３のそれぞれは並列接続されている。なお、図４（ａ）に示す電気式床暖房パネル群ＡＧは、３枚の電気式床暖房パネルＡで構成されており、上位の電気式床暖房パネルＡは、図１でいう貼り出し用電気式床暖房パネルＡ１に相当し、下段の電気式床暖房パネルＡは電気式床暖房パネルＡａに相当する。何枚の電気式床暖房パネルＡで電気式床暖房パネル群ＡＧを構成するかは任意である。
【００３１】
電気式床暖房フロアＦを施工するに当たっては、図１に基づき説明したように、電気式床暖房パネル群ＡＧが、周辺パネルＢと共に、床下地面に貼り付けられ、下段の電気式床暖房パネルＡａに対して、前記したように、図５に示す配線キット１のコネクタ２が接続され、該配線キット１のケーブル３の他端側の接続端４が床暖房用コントローラＤに接続される。その後、第２の周辺パネルＢ１を貼り付けて施工は終了する。
【００３２】
図５に示すように配線キット１は、ＶＶＦケーブルを基本構成としており、電気式床暖房パネルＡの３線式コネクタ３５に接続するコネクタ２と、３本のケーブル線３ａ、３ｂ、３ｃと、床暖房用コントローラＤに接続するやはり３線式の接続端４とを備える。ケーブル線３ａ、３ｂは電源線であり、前記した３線式コード状ヒータ２０の２本のヒータ線と２１、２２に接続し、ケーブル線３ｃは検知線２３に接続する。なお、接続端４は、ケーブル３の他端側を床暖房用コントローラＤ側に電気的に接続できれば任意の手段でよく、コネクタを用いる態様、電線同士を直接結線できるように床暖房用コントローラＤ側に速結端子台を取り付ける態様、さらには両者の電線同士を直接結線する態様などであってよい。後ろの２者の場合には、ケーブル３の端部が接続端４を構成する。また、配線キット１を用いない場合には、従来知られた貼りじまい用ヒーターパネル形態の電気式床暖房パネルに上記した３線式ケーブルを取り付ける。
【００３３】
次に、図６に示す電気式床暖房フロアＦの発熱回路を参照して、床暖房用コントローラＤを説明する。床暖房用コントローラＤは従来知られた暖房用コントローラに組み込まれた従来公知の制御装置ＣＵに加えて、前記３線式コード状ヒータ２０の２本のヒータ線と２１、２２に電力を供給する電力供給回路側を出力側とし、前記検知線２３に接続する側を入力側とするｂ接点５０を備える。図示の例では、電気式床暖房パネルＡに埋め込んだ３線式コード状ヒータ２０の第２のヒータ線２２側（配線キット１のケーブル線３ａ側）にｂ接点５０の出力側接点５１が接続し、前記検知線２３側（配線キット１のケーブル線３ｃ側）がｂ接点５０の入力側５２に接続している。
【００３４】
上記の床暖房フロアＦにおいて、各電気式床暖房パネルＡが正常に運転している環境では、ｂ接点５０の出力側５１は電源供給回路を閉じた状態としており、床暖房用コントローラＤから供給される電力は、各電気式床暖房パネルＡに組み込んだ３線式コード状ヒータ２０の第１のヒータ線２１と第２のヒータ線２２とを循環するように流れ、その発熱により床暖房が行われる。正常運転での温度制御等は前記した床暖房用コントローラＤの制御装置ＣＵにより行われる。正常運転時には３線式コード状ヒータ２０の検知線２３には電流は流れず、ｂ接点５０の入力側５２は電気信号ＯＦＦの状態であり、連続した床暖房が進行する。
【００３５】
なお、図６に示す例では、電気式床暖房フロアＦは３枚の電気式床暖房パネルＡからなる１組の電気式床暖房パネル群ＡＧによって暖房面が形成されるが、図１に示したように２組の暖房面を形成する場合には、図６に仮想線で示すように、もう１組の電気式床暖房パネル群ＡＧが並列接続される。また、図４（ｂ）に示すように３組の電気式床暖房パネル群ＡＧが並列接続されて暖房面を形成してもよく、暖房面を構成する電気式床暖房パネル群ＡＧの数は任意である。その場合に、各電気式床暖房パネル群ＡＧごとに、前記ｂ接点５０を設けることもできる。
【００３６】
上記の発熱回路において、製品寿命を超えてもなお継続使用していると、使用者が知らないうちに３線式コード状ヒータ２０を構成する第１のヒータ線２１と第２のヒータ線２２のいずれかに部分断線が生じ、接触抵抗が異常に増加してスパーク等による異常加熱が生じる場合がある。図８は、そのような断線が第１のヒータ線２１において起こった場合の状態を説明している。第１のヒータ線２１のいずれかの箇所Ｐでスパーク等による異常加熱が生じたときに、その箇所の第１の被覆樹脂２４は溶融し、そこに近接する検知線２３を被覆する被覆樹脂２６も溶融する。
【００３７】
双方の被覆樹脂が溶融することにより、図８に領域Ｑで示すように、第１のヒータ線２１と検知線２３とが短絡した状態となり、電流は、その短絡箇所から検知線２３側に流れる。検知線２３に電流が流れることにより、床暖房用コントローラＤに組み込んだｂ接点５０の入力部５２に電流が流れ、ｂ接点５０の出力側５１は開、すなわちＯＦＦとなり、電源供給回路を開く。それにより、床暖房用コントローラＤから３線式コード状ヒータ２０への電力供給は遮断される。
【００３８】
ｂ接点５０は、一度出力側５１が開状態となると、その姿勢が保持される。図７は、そのための床暖房用コントローラＤ内の回路の一例を示す。この例において、検知線２３側に断線検知リレーＲが、また、第１のヒータ線２１と第２のヒータ線２２との間に、並列接続した２つのａ接点（常開接点）５５，５６と自己保持型である検出制御リレーＲ１が設けてある。断線検知リレーＲはａ接点５５を作動させ、検出制御リレーＲ１はａ接点５６とｂ接点５０を作動させる。前記のようにして検知線２３に電流が流れると、断線検知リレーＲが作動する。断線検知リレーＲが作動したことで、ａ接点５５が閉じて検出制御リレーＲ１の回路に電流が流れる。電流が流れることで検出制御リレーＲ１が作動し、その作動により、ａ接点５６が閉じて自己保持されるとともに、ｂ接点５０が開いて３線式コード状ヒータ２０への通電は止まる。電源側からの電流は、閉じているａ接点５６と検出制御リレーＲ１を通る回路を流れる。
【００３９】
そのために、再び、床暖房用コントローラＤから３線式コード状ヒータ２０へ電力が供給されることはなく、断線箇所Ｐでのそれ以上の発熱やスパークは起こらない。それにより、各電気式床暖房パネルＡの裏面に積層した前記した不織布層３８や樹脂発泡体層３９からなる緩衝材層３７が着火するという事態は確実に回避される。
【００４０】
図９は、断線が第２のヒータ線２２において起こった場合の状態を説明している。第２のヒータ線２２のいずれかの箇所Ｐでスパーク等による異常加熱が生じたときに、その箇所の第２の被覆樹脂２５が昇温する。第２の被覆樹脂２５の溶融温度は、第１のヒータ線２１および検知線２３を被覆している第１の被覆樹脂２４、２６の溶融温度よりも高く設定してあるので、第２の被覆樹脂２５が溶融する前に、第１のヒータ線２１および検知線２３を被覆している第１の被覆樹脂２４、２６が溶融する。それにより、図８において説明したと同様に、領域Ｑにおいて、第１のヒータ線２１と検知線２３とが短絡した状態となる。
【００４１】
図８に基づき説明したと同様に、第１のヒータ線２１と検知線２３との短絡により、検知線２３側に短絡電流が流れるようになり、この場合にも、第１のヒータ線２１側で断線が起こった場合と同様に、床暖房用コントローラＤに組み込んだｂ接点５０が作動して、電源供給回路を開く。それにより、床暖房用コントローラＤから３線式コード状ヒータ２０への電力供給は遮断される。
【００４２】
上記したように、本発明による電気式床暖房フロアＦでは、異常時での安全性が確実に確保される。さらに、電気式床暖房パネルＡの木質基材３１の裏面に３線式コード状ヒータ２０を埋め込む作業は、閉ループを作る必要がないので、きわめて容易である。場合によっては、ＮＣによる配線も可能となる。また、床暖房時には、一本の３線式コード状ヒータ２０内で、実質的に平行に走る第１と第２の２本のヒータ線２１、２２を電流が往復で流れることから磁界が打ち消し合うようになり、電気式床暖房パネルＡからの電磁波の発生もカットされる。
【図面の簡単な説明】
【００４３】
【図１】図１（ａ）は電気式床暖房フロアの全体を示す概略図であり、図１（ｂ）は配線キットを用いる場合での、その取り付け状態を説明するための図である。
【図２】電気式床暖房パネルの一例を示す図であり、図２（ａ）は緩衝材層を除去した状態の背面図、図２（ｂ）は断面図。
【図３】図３（ａ）（ｂ）は電気式床暖房パネルに組み込む３線式コード状ヒータを説明するための図、図３（ｃ）はそれを電気式床暖房パネルに組み込んだ状態の配線図。
【図４】電気式床暖房パネルの複数枚をグループとして組み込んだ電気式床暖房パネル群の２つの態様を説明する図。
【図５】用いる場合での配線キットを説明する図。
【図６】本発明による電気式床暖房フロアの発熱回路の一例を示す図であり、特に、床暖房用コントローラを説明している。
【図７】床暖房用コントローラに組み込まれる、ｂ接点の開状態を保持するための回路の一例を示す図。
【図８】発熱回路に異常発熱が生じたときの第１の態様を説明する図。
【図９】発熱回路に異常発熱が生じたときの第２の態様を説明する図。
【符号の説明】
【００４４】
Ａ…電気式床暖房パネル、ＡＧ…グループ化された電気式床暖房パネル群、Ｃ…コンクリートスラブ（床下地）、Ｄ…床暖房用コントローラ、ＣＵ…床暖房用コントローラ内の制御装置、１…配線キット、２…配線キットのコネクタ、３ａ、３ｂ、３ｃ…配線キットのケーブル、４…配線キットの他端側の接続端、２０…３線式コード状ヒータ、２０ｃ…３線式コード状ヒータの自由端、２１…第１のヒータ線、２２…第２のヒータ線、２３…検知線、２４、２６…第１の被覆樹脂、２５…第２の被覆樹脂、２７…被覆材、３０…単位ピース、３１…木質基材、３２…配線溝、３４、３５…電気式床暖房パネルのコネクタ、３６…遮音溝、３７…緩衝材層、５０…床暖房用コントローラ内に組み込まれたｂ接点、５１…ｂ接点の出力側、５２…ｂ接点の入力側、Ｒ…断線検知リレー、Ｒ１…検出制御リレー（自己保持型）
【図１】
2009092312.tif 000003
【図２】
2009092312.tif 000004
【図３】
2009092312.tif 000005
【図４】
2009092312.tif 000006
【図５】
2009092312.tif 000007
【図６】
2009092312.tif 000008
【図７】
2009092312.tif 000009
【図８】
2009092312.tif 000010
【図９】
2009092312.tif 000011